(57)【要約】【課題】インプラント周囲の骨組織の生成を促進するための超音波振動子を確実に取り付ける。【解決手段】超音波治療装置６は、２個の筐体７と２個の固定具１０，１１からなる。筐体７はインプラント５が埋め込まれた歯茎に被されるもので、内壁に振動子が埋め込まれている。筐体７に連結された固定具１０，１１は、隣りの歯１２，１３に被せる冠状を有する。歯茎の２つの歯を抜いたあとには２本のインプラント５が埋め込まれており、各筐体７が歯１２，１３の間で歯茎に被せられると共に、固定具１０，１１が歯１２，１３に被せられることにより、筐体７を安定に固定することができる。この状態で外部から振動子に超音波信号を供給することにより、インプラント５の周囲に骨組織が生成されるのを促進することができる。【選択図】　　　　図１
2004113625.tif 000002
【特許請求の範囲】
【請求項１】
口腔内のインプラント処置が施された部分に近接して配置される１つ以上の筐体と、
前記筐体の内壁に配置された振動子と、
前記筐体の側面に設けられ、前記インプラント処置が施された部分の両隣の歯にそれぞれ被せられるようになされた一対の固定部材とを設けたことを特徴とする超音波治療装置。
【請求項２】
口腔内のインプラント処置が施された部分に近接して配置される１つ以上の筐体と、
前記筐体の内壁に配置された振動子と、
前記筐体の側面に設けられ、前記インプラント処置が施された部分の両隣の歯にそれぞれ弾性的に係合するようになされた一対の係合部材とを設けたことを特徴とする超音波治療装置。
【請求項３】
前記筐体は複数個が離れて設けられ、各筐体を連結する連結部材が設けられていることを特徴とする請求項１又は２記載の超音波治療装置。
【請求項４】
前記超音波治療装置が複数個設けられ、各超音波治療装置を連結する連結部材が設けられていることを特徴とする請求項１、２又は３記載の超音波治療装置。
【請求項５】
口腔内のインプラント処置が施された部分に近接して配置される１つ以上の筐体と、
前記筐体の内壁に配置された振動子と、
前記１つ以上の筐体が設けられ、下顎又は上顎の全部の歯に被せられるようになされた固定部材とを設けたことを特徴とする超音波治療装置。
【請求項６】
口腔内のインプラント処置が施された部分に近接して配置される１つ以上の筐体と、
前記筐体の内壁に配置された振動子と、
患者の頭に装着されるヘッドギアと、
前記ヘッドギアに取り付けられ、前記振動子を前記インプラント処置が施された部分に弾性的に固定する弾性部材とを設けたことを特徴とする超音波治療装置。
【請求項７】
前記振動子の前記インプラント処置が施された部分と対向する面以外の面に振動吸収部材を設けたことを特徴とする請求項１〜６記載の超音波治療装置。
【請求項８】
前記振動子に超音波信号を供給するためのリード線を前記筐体に設けたことを特徴とする請求項１〜７の何れか１項に記載の超音波治療装置。
【請求項９】
口腔内のインプラント処置が施された部分に近接して配置される１つ以上の筐体と、
患者の頬の凹凸に合わせた凹凸面を有すると共に、振動子が埋め込まれた固定部材とを設けたことを特徴とする超音波治療装置。
【請求項１０】
前記振動子の前記凹凸面側以外の面に振動吸収部材を設けたことを特徴とする請求項９記載の超音波治療装置。
【請求項１１】
前記振動子に超音波信号を供給するためのリード線を前記固定部材に設けたことを特徴とする請求項９又は１０記載の超音波治療装置。
【請求項１２】
義歯が取り付けられて口腔内に支持される床材と、この床材に取り付けられて超音波振動する振動子とからなることを特徴とする超音波治療装置。
【発明の詳細な説明】
【０００１】
【発明の属する技術分野】
本発明は、インプラントを用いて歯の治療を行う場合に用いられる超音波治療装置に関するものである。
【０００２】
【従来の技術】
従来より、上顎部あるいは下顎部にインプラントと呼ばれるピン状の人工歯根を埋め込み、このインプラントの上面のねじ穴に人工歯冠をねじ込んで取り付ける方法が知られている。この方法では、骨内にインプラントを埋め込んでから一定期間が過ぎて埋め込まれたインプラントが骨の組織と一体となった後、人工歯冠を取り付けるようにしている。この場合、インプラントが骨組織と一体化するまでの期間は仮の義歯を用いることが必須であり、これまでは、自然治癒に任せつ他なかったため、インプラントと骨との間に組織が形成されるまでの期間は、患者に不便を強いることになる。
【０００３】
したがって、このインプラント処置後の治癒促進に用いられる器具については、適当な先行特許文献を発見することができなかった。
【０００４】
【発明が解決しようとする課題】
そこで、インプラントと骨との間に組織が形成されるのを促進すべく、患部に物理療法を施すことで、早期にインプラントと骨組織とを一体化させる患部に超音波振動を与える方法が考えられるが、超音波振動を与えるための振動子を患部に確実に固定して、超音波振動を患部に有効に作用させることのできる具体的手段が未だ開発されておらず、振動子を確実に固定することが困難であるという問題があった。
本発明は上記の問題を解決するためのもので、インプラントの埋め込み部分に振動子を確実に固定することのできる超音波治療装置を提供することを目的とするものである。
【０００５】
【課題を解決するための手段】
上記の目的を達成するために本発明による超音波治療装置は、口腔内のインプラント処置が施された部分に近接して配置される１つ以上の筐体と、前記筐体の内壁に配置された振動子と、前記筐体の側面に設けられ、前記インプラント処置が施された部分の両隣の歯にそれぞれ被せられるようになされた一対の固定部材とを設けたことを特徴とするものである。
【０００６】
また、本発明による超音波治療装置は、口腔内のインプラント処置が施された部分に近接して配置される１つ以上の筐体と、前記筐体の内壁に配置された振動子と、前記筐体の側面に設けられ、前記インプラント処置が施された部分の両隣の歯にそれぞれ弾性的に係合するようになされた一対の係合部材とを設けたことを特徴とするものである。
【０００７】
また、本発明による超音波治療装置は、口腔内のインプラント処置が施された部分に近接して配置される１つ以上の筐体と、前記筐体の内壁に配置された振動子と、前記１つ以上の筐体が設けられ、下顎又は上顎の全部の歯に被せられるようになされた固定部材とを設けたことを特徴とするものである。
【０００８】
また、本発明による超音波治療装置は、口腔内のインプラント処置が施された部分に近接して配置される１つ以上の筐体と、前記筐体の内壁に配置された振動子と、患者の頭に装着されるヘッドギアと、前記ヘッドギアに取り付けられ、前記振動子を前記インプラント処置が施された部分に弾性的に固定する弾性部材とを設けたことを特徴とするものである
【０００９】
また、本発明による超音波治療装置は、口腔内のインプラント処置が施された部分に近接して配置される１つ以上の筐体と、患者の頬の凹凸に合わせた凹凸面を有すると共に、振動子が埋め込まれた固定部材とを設けたことを特徴とするものである。
また本発明は、義歯を支持する床材を超音波で振動させるようにしたものである。
【００１０】
【作用】
従って、本発明によれば、超音波治療装置を構成する筐体を確実に固定した状態で振動子を超音波振動させることができるので、全部の歯、もしくは数本の歯、あるいは無歯顎の場合に適用されて、骨の組織の生成を確実に促進することができる。
【００１１】
【発明の実施の形態】
以下、本発明の実施の形態を図面と共に説明する。
図１は本発明の第１の実施の形態による超音波治療装置の概観を示し、図２は超音波治療装置６を歯茎に取り付けた口腔内の状態を示す一部断面斜視図である。
図２において、１は歯を抜いた後の歯茎、２は骨、３は歯肉、４は表皮である。５は人工歯根としてのインプラントで、図示のように歯茎１から骨２に達するまで、埋め込まれている。インプラント５の上面には、人工歯冠（図示せず）がねじ込まれるねじ穴５ａが設けられている。２Ａはインプラント５の周囲に生成された骨組織である。
【００１２】
図１、図２において、６は超音波治療装置で、図示のように２個の連設された筐体７と２個の固定具１０，１１からなるものである。筐体７は下面が開口されると共に、内壁に一対の振動子８ａ，８ｂが対向配置されて埋め込まれてなる。　振動子８ａ，８ｂは、１つの面が露出して歯肉表面に接触するようになされると共に、他の周面が振動吸収部材９で覆われている。固定具１０，１１は、それぞれ隣接する健全な歯１２，１３に被せるような冠状をなし、筐体７と連結部１０ａ、１１ａを介して連結されている。この固定具１０，１１は、上記歯１２，１３の形状に合わせて樹脂等で型取りしたものであってよい。尚、筐体７からは、振動子８ａ，８ｂに超音波信号を供給するためのリード線が適宜導出されているものとする。図１（ａ）には、上記リード線１４が前方から口腔外に導出された例が示されている。
【００１３】
次に、本実施の形態による超音波治療装置６を用いて治療を行う方法について説明する。
図１（ｂ）のように、歯茎の隣合う２つの歯を抜いたあとには２本のインプラント５が埋め込まれている。超音波治療装置６の２個の筐体７は両隣の歯１２，１３の間に配置され、それぞれ図２のように歯茎１に被せられると共に、固定具１０，１１がそれぞれ歯１２，１３に被せられている。これによって、超音波治療装置６を患部に確実に固定することができる。
【００１４】
この状態において、外部の超音波発信装置（図示せず）よりリード線１４を介して振動子８ａ，８ｂに超音波信号を供給することにより、インプラント５の周囲における骨組織２Ａの生成を促進することができる。
【００１５】
上記構成によれば、超音波治療装置６の２つの筐体７を確実に固定することができる。従って、確実に目的部に固定した状態で振動子に超音波を与えて骨組織２Ａの生成を確実に促進することができる。また、振動吸収部材９を設けているので、振動子８ａ，８ｂの超音波振動が口腔内の患部以外の各部に伝わって患者に不快感を与えることをなくすことができる。
【００１６】
尚、上記実施の形態では、２つの筐体７を設けた例を示したが、筐体７は１つでもよく、あるいは３つ以上の筐体７を連設してもよいことは勿論である。
【００１７】
図３は第２の実施の形態を示すもので、図１、図２と対応する部分には同一符号を付して重複する説明は省略する。
本実施の形態による超音波治療装置６は、図３のように２個の筐体７を連設すると共に、各筐体７の側面にそれぞれ図示のように針金部材を略Ｕ字状に形成してなる係合部１５，１６を設けたものである。
【００１８】
この超音波治療装置６を歯茎の２本のインプラント５が埋め込まれた部分に配置し、その係合部１５を歯１２に巻きつけるようにして弾性的に係合させ、係合部１６を歯１３に巻きつけるようにして弾性的に係合させることにより、超音波治療装置６の２つの筐体７を確実に固定することができる。
尚、筐体７は１個でもよく、又は３つ以上の筐体７を連設してもよい。
【００１９】
図４は本発明の第３の実施の形態を示す斜視図で、図３と対応する部分には同一符号を付して重複する説明は省略する。
本実施の形態による超音波治療装置６は、図４に示すように、２個の筐体７を健全な歯１７の１個分（又は２個分以上でもよい）離間させて設けると共に、これらの筐体７を湾曲した針金からなる連結部材１８で連結してなるものである。
【００２０】
前述した第１、第２の実施の形態は、隣接する２個の歯の治療を行う場合に適しているが、図４の本実施の形態は、健全な歯１７を挟む２個の歯の治療を行う場合に適している。
【００２１】
図５は本発明の第４の実施の形態を示す斜視図で、図３と対応する部分には同一符号を付して重複する説明は省略する。
本実施の形態による超音波治療装置６は、図５に示すように、図３の構成を有する超音波治療装置を２つ用い、これらを図示のような針金部材１９ａ及び板材１９ｂからなる連結部材１９で連結すると共に、板材１９ｂに振動子２０を取り付けたものである。
【００２２】
尚、図示では一方の超音波治療装置の筐体７は１個であるが、２個以上用いてよく、他方の超音波治療装置においても同様である。
また、図１の構成の超音波治療装置を２つ用い、それらを上記連結部材１９で連結した構成としてもよい。
【００２３】
上記構成において、図５（ｂ）のように、各筐体７を歯１２，１３，２１，２２の間に挿入し、これらの歯に各係合部１５，１６をそれぞれ巻きつけて弾性的に係合させることにより、各筐体７を確実に固定することができる。この状態で外部から振動子２０に超音波振動を加えることにより、この超音波振動を連結部材１９を介して３個の筐体７の振動子８ａ，８ｂに伝えることができる。従って、図示の場合は、一度に３つの歯を治療することができる。
【００２４】
図６は本発明の第５の実施の形態を示す斜視図で、図１と対応する部分には同一符号を付して重複する説明は省略する。
本実施の形態は、下顎又は上顎の全部の歯に被せる固定部材２３を用いるものである。図示の例では固定部材２３には２個の筐体７が設けられているが、１個又は３個以上設けてよいのは勿論である。尚、固定部材２３は、患者の歯に合わせて樹脂等により型取りしたものであってよい。
本実施の形態によれば、１個以上の筐体７をどの位置にも容易に安定した状態で取り付けることができる。
【００２５】
図７は本発明の第６の実施の形態を示す側面図である。
図７において、患者２４の口腔内の患部には筐体７が被せられ、この筐体７には針金からなるバネ部材２５の一端が取り付けられている。また、患者２４の頭にはヘッドギア２６が装着され、このヘッドギア２６には上記バネ部材２５の他端が連結されている。これによって、筐体７は弾力的に抑えられ、所定位置に確実に固定することができる。
【００２６】
次に、本発明の第７の実施の形態を説明する。
本実施の形態は、板状部材の一面に患者の頬の凹凸にほぼ合うような凹凸を形成すると共に振動子を埋め込んだ固定具を用いるものである。この固定具を用いて超音波治療を行う場合は、患者が口腔内の筐体７を軽く噛んで筐体７を固定した状態で、固定具を患者が手で持って上記一面を頬に押し当てる。この状態で振動子を超音波振動させることにより、振動を頬を介して筐体７に伝えることができる。
【００２７】
次に、本発明の第８の実施の形態を説明する。
本実施の形態は、図８に示すように、数本の義歯３０が金属製の床材３１に支持されている。この床材３１は、口腔内に保持されるもので、前記各実施形態の筐体として用いられて、これに振動子２０を取り付けたものである。この振動子２０を振動させることにより、金属製の床材３１を介して超音波振動を各義歯３０の下のインプラント処置部に伝達できるので、一つの振動子２０によって複数のインプラント処置部に対する治療を行うことができる。尚、この床材３１の超音波振動が上顎や下顎に伝達されて患者に振動感を与えることを防止すべく、上顎や下顎に接する面など、インプラント処置と関係のない部分であって、口腔内面に接する個所に、弾力性のある緩衝材を貼るようにしても良い。
【００２８】
次に、本発明の第９の実施の形態を説明する。
本実施の形態は、図９に示すように、無歯額の患者に用いられるもので、全部の歯に相当する義歯３０が床材３１に取り付けられている。この床材３１は、口腔内に保持されるもので、前記各実施形態の筐体と同様に、振動子２０が取り付けられている。この振動子２０を振動させることにより、金属製の床材３１を介して超音波振動を各義歯３０の下のインプラント処置部に伝達できるので、一つの振動子２０によって、無歯顎におけるインプラント処置部全体に対する治療を行うことができる。
尚、振動を伝えるべき義歯の数に応じて、振動子２０の数を適宜増やし、これらの複数の振動子２０を、必要な超音波振動が得られるように配置してもよい。
【００２９】
尚、固定具内の振動子の上記凹凸面側以外の面に振動吸収部材を設けてもよい。また、固定具には振動子に超音波信号を供給するためのリード線が適宜設けられる。
【００３０】
次に、以上説明した各実施の形態による超音波治療装置６を用いることによる効果を以下に列挙する。
１）インプラント埋入時におけるインプラント周囲の骨形成、及びオステオインテグレーションの促進
２）インプラント除去後の骨形成、及び治癒促進
３）インプラント周囲骨欠損における骨形成の促進
４）　骨増生術における骨形成促進（供給側、需要側を含む）
【００３１】
５）　化骨延長術における骨形成促進
６）　顎顔面における外傷、骨折、歯牙脱臼における術後の治癒促進
７）　顎変形症における外科的手術後の骨結合促進
８）　矯正治療時における動的期間及び保定期間の短縮
９）　骨縫合部における矯正処置後の化骨促進
１０）う蝕歯（保存修復時）における生活歯髄切断、間接覆髄、及び直接覆髄後の二次象牙質形成促進
１１）象牙質知覚過敏時における二次象牙質形成促進による疼痛の軽減
１２）抜髄、感染根管処置後の根尖部閉鎖促進
１３）歯周外科後の治癒促進（Ｆｌａｐ　Ｏｐｅｒａｔｉｏｎ　ＦＧＧ　ＡＰＦ）
１４）咬合性外傷における歯牙固定後の周囲骨形成促進
１５）外科処置後の治癒不全における治癒促進
【００３２】
１６）小帯異常における外科処置後の治癒促進
１７）唇裂、口蓋裂、唇顎裂における外科処置後の治癒促進
１８）顎関節強直症における外科処置後の骨結合促進
１９）骨炎、骨髄炎処置後の骨形成、及び治癒促進
２０）唾液腺の機能正常化促進
２１）歯科顎顔面領域における骨性、及び骨内病巣除去後の骨治癒促進
２２）歯周骨欠損の骨再生の促進（ＧＴＲとＧＢＲテクニック）
２３）歯内療法時の根尖の骨閉鎖の促進（ＡＰＩＣＯを含む）
【００３３】
２４）歯科顎顔面領域における軟組織疾患の除去後の創傷、外傷による軟組織の損傷及び外科的処置による軟組織の治癒促進
２５）歯牙移植歯及び再植歯における周囲骨の新生促進、及び生着促進
２６）抜歯窩の治癒促進
２７）顎関節症時の筋疲労の緩和
２８）顎関節症時の関節頭及び関節窩の骨再生の促進
２９）軟組織の表層病変の治癒促進
【００３４】
【発明の効果】
以上説明したように、本発明によれば、超音波治療装置を構成する筐体を確実に固定した状態で振動子に超音波振動を与えることができるので、インプラント周囲における骨組織の生成を確実に促進することができ、治療時間を短縮することができる。
【図面の簡単な説明】
【図１】本発明の第１の実施の形態による超音波治療装置を示す斜視図である。
【図２】図１の一部断面斜視図である。
【図３】本発明の第２の実施の形態による超音波治療装置を示す斜視図である。
【図４】本発明の第３の実施の形態による超音波治療装置を示す斜視図である。
【図５】本発明の第４の実施の形態による超音波治療装置を示す斜視図である。
【図６】本発明の第５の実施の形態による超音波治療装置を示す斜視図である。
【図７】本発明の第６の実施の形態による超音波治療装置を示す側面図である。
【図８】本発明の第８の実施の形態による超音波治療装置を示す斜視図である。
【図９】本発明の第９の実施の形態による超音波治療装置を示す斜視図である。
【符号の説明】
１　歯茎
２　骨
２Ａ　骨組織
５　インプラント
６　超音波治療装置
７　筐体
８ａ、８ｂ　振動子
９　　　　　振動吸収部材
１０，１１　固定具
１２，１３，１８，２１，２２　歯
１５，１６　係合部材
１７　連結部材
１９　連結部材
２０　振動子
２３　固定部材
２４　患者
２５　バネ部材
２６　ヘッドギア
【図１】
2004113625.tif 000003
【図２】
2004113625.tif 000004
【図３】
2004113625.tif 000005
【図４】
2004113625.tif 000006
【図５】
2004113625.tif 000007
【図６】
2004113625.tif 000008
【図７】
2004113625.tif 000009
【図８】
2004113625.tif 000010
【図９】
2004113625.tif 000011